(57)【要約】
【課題】スティック状商品を収容し、店頭における陳列スペースの有効利用が図られ、しかも、商品の取り出しが容易で取り扱いにも便利で使い勝手の良い包装用箱を提供する。
【解決手段】ブランクシートＡからなり、正面板２、背面板４、左右の側面板１、 ３、及び外底板７、外蓋板６からなる直方体形状をなす箱体であって、内底板９に連設された上げ底構成板１０を、箱体内で立体的に折り曲げて底板上に上げ底を組み立て、上げ底板部１０ｂ面に対応して正面板２の下部に、所定の間隔で正面板を横切る２本の切込み線１３を設けて開封部１２を形成した。
【選択図】図１
0003099916.tif 000002
【実用新案登録請求の範囲】
【請求項１】
　板紙から裁断したブランクシートからなり、正面板、背面板、左右の側面板、及び底面板、蓋面板からなる直方体形状をなす箱体であって、底面板に連設された上げ底構成板を、箱体内で立体的に折り曲げて底面板上に上げ底を組み立て、該上げ底面に対応して正面板に、所定の間隔で正面板を横切る２本の切込み線を設けて開封部を形成したことを特徽とする包装用箱。
【請求項２】
　上げ底構成板は、平行する２本の折線により板面を立上げ板部、上げ底板部、接着板に区分し、内底板に上げ底構成板を連設する折線を、立上げ板部側から内底板の幅員を狭めた位置に設定し、また、立上げ板部と上げ底板部を区分する折線を、上げ底板部の両端部を残して、立上げ板部側から上げ底板部の幅員を狭めた位置に設定するとともに、該折線の両端から立上げ板部と上げ底板部との境界端縁に掛けて切込みを設けたことを特徴とする請求項１記載の包装用箱。
【考案の詳細な説明】
【技術分野】
【０００１】
　本考案は、スティック状菓子類、その他のスティック状商品を箱詰めした状態で陳列し、商品を一個づつ取り出すことができる包装用籍に関するものである。
【背景技術】
【０００２】
　ビスケットやチョコレート等のお菓子や食料品など各種商品の中には、スティック状に包装され、このスティック状商品の複数個を直方体形状の包装用箱に箱詰め（収容）して出荷し、包装用箱のままで店頭に陳列できるようにしたものが提案されている（特許文献１参照）。
【０００３】
　このような包装用箱は、通常、包装用箱の上面や前面を切り開いた上で、陳列棚などに置き並べる構造になっていて、商品を店頭に陳列して販売する時は、顧客の求めに応じて箱内から商品を直接に取り出して販売するようにしている。
【０００４】
　ところが、複数個の商品が整列状に詰められている包装用箱内の上蓋を開いたり、箱の上面や前面を切り開いたりして商品の陳列が行われる場合は、箱内に残される商品の数が少なくなるにつれて箱内の空所が目立つようになり、また、箱内に残された商品は、その整列も乱れるようなことも起きるので、商品陳列の見栄えが悪くなって商品イメージに悪影響を与える。また、商品陳列中は、箱内に残される商品の数に関係なく、包装用箱が陳列部に占める面積は一定になるので、店頭における陳列スペースの有効利用にも影響を与える。
【特許文献１】実用新案登録第３０６８４６０号。
【考案の開示】
【考案が解決しようとする課題】
【０００５】
　本考案は、このような状況に鑑みてなされたものであって、スティック状商品を包装用箱内に縦一列に収容し、箱ごと陳列して店頭における陳列部に占める面積を極力小さくして陳列スペースの有効利用が図られ、しかも、商品の取り出しが容易にできて取り扱いにも便利な使い勝手の良い包装用箱を提供することを目的としたものである。
【課題を解決するための手段】
【０００６】
　板紙から裁断したブランクシートからなり、正面板、背面板、左右の側面板、及び底面板、蓋面板からなる直方体形状をなす箱体であって、底面板に連設された上げ底構成板を、箱体内で立体的に折り曲げて底面板上に上げ底を組み立て、該上げ底面に対応して正面板に、所定の間隔で正面板を横切る２本の切込み線を設けて開封部を形成したことを特徽とする。
【考案の効果】
【０００７】
　このように構成された本考案に係る包装用箱によれば、複数個のスティック状商品を縦一列に収容して箱体を薄型に形成できるので、包装用箱が陳列部に占める面積を最少にとどめて店頭における陳列スペースの有効利用が図られる。　また、正面板の下部に設けた開封部を切り開いてできる開口からは、箱内に収容されて上げ底上に載る最下位のスティック状商品は、順番に一個づつを確実に取り出すことができて販売に支障を来すことはない。また、箱内に残る商品は人目に付くことはないので、商品陳列の見栄えを悪くするようなこともない。
【０００８】
　また、商品が取り出される開口は、箱内の上げ底面に対応して正面板に形成されるので、陳列棚等に載せるような陳列では、棚の前柵に当たることなく、商品を取り出すことができる。
【考案を実施するための最良の形態】
【０００９】
　前記包装用箱において、上げ底構成板は、平行する２本の折線により板面を立上げ板部、上げ底板部、接着板に区分し、内底板に上げ底構成板を連設する折線を、立上げ板部側から内底板の幅員を狭めた位置に設定し、また、立上げ板部と上げ底板部を区分する折線を、上げ底板部の両端部を残して、立上げ板部側から上げ底板部の幅員を狭めた位置に設定するとともに、該折線の両端から立上げ板部と上げ底板部との境界端縁に掛けて切込みを設けた構成にすると、箱体を立位にして置く陳列時において、箱内で上げ底板部上に載る商品の荷重を下から支える立上げ板部が、上げ底面部の中央部側に寄せられ、上げ底構成板を折り曲げて組み立てた上げ底の剛性を高めることができるので、比較的重たい商品の陳列でも、経時的に上げ底が弛むといった形態の変化が生じることがなく、機能低下を軽減できる。
【実施例１】
【００１０】
　以下、図面を参照しながら、本考案の実施例に係る包装用箱について具体的に説明する。
【００１１】
　図１は本考案に係る包装用箱の展開図、図２は組み立て後の正面側から見た要部の概略断面図、図３は組み立て後の側面側から見た要部の概略断面図である。
【００１２】
　各図に示すように、１枚の板紙製のブランクシートＡにおいて、直方体形状の箱体を形成するために、広幅の側面板１の右側に折線ａ、ｂ、ｃを介して狭幅の正面板２、広幅の側面板３、狭幅の背面板４を順次に連設し、前記の側面板１の左側には折線ｄを介して接着板５を連設している。
【００１３】
　前記の側面板３の上辺には折線ｅを介して外蓋板６を、下辺には折線ｆを介して外底板７を連設している。
【００１４】
　前記の側面板１の上辺には折線ｇを介して内蓋板８を連設し、下辺には折線ｈを介して内底板９を連設するとともに、この内底板９には折線ｉを介して上げ底構成板１０を連設している。
【００１５】
　上げ底構成板１０は、平行する２本の折線ｊ、ｋにより板面を立上げ板部１０ａ、上げ底板部１０ｂ、接着板１０ｃに区分している。
【００１６】
　また、前記の正面板２及び背面板４の上下各辺には、それぞれに折線ｍを介して折込み片１１を連設している。
【００１７】
　また、前記の正面板２の下部に、該正面板２の下辺から上げ底構成板１０の立上げ板部１０ａの幅員に相当する高さを採る位置と、これより上側に所定の幅を採って正面板２を平行して横切る２本の切込み１３を設け、この２本の切込み１３の端部を、略Ｌ字状の短い切込みを複数個を並べてなるジッパー１４を介して両方の側面板面１，３に入り込ませて無端状に連結し開封部１２を設けている。
【００１８】
　前記構成のブランクシートＡによって包装用箱を組み立てる手順について説明する。なお、本考案に係る包装用箱を組み立てる上で、所要個所の貼り付けには、対応面に予め貼着された接着テープ又は粘着シートが使用される。また、機械組みの場合には、オートロックボトムカートンの貼加工のできるサックマシーンが利用できる。
【００１９】
　先ず、内底板９に対し上げ底構成板１０を折り曲げて内底板９に重ね、接着板１０ｃを側面板１の内面に貼り付ける。側面板１に対し正面板２を折り曲げ、他方の側面板３とともに側面板１に重ねる。この状態で側面板３に対し背面板４を折り曲げて側面板１横の接着板５に重ねて貼り付ける。なお、ここまでの工程は機械組みによってなされ、形態的には、全体的に扁平状態になって嵩を小さくするので、使用前の流通はこの状態で行われる。
【００２０】
　次ぎに、使用時に箱への組み立ては、正面板２、背面板４及び両方の側面板１，３を立体的に引き起こして両端開口の角筒体に形成する。側面板１に対し内底板９を折り曲げると、これにつられて角筒体内で上げ底構成板１０の立上げ板部１０ａと上げ底板部１０ｂがそれぞれに折り曲がり、立上げ板部１０ａは側面板３内面に添接し、これに上げ底板部１０ｂが直角をなして上げ底が構成される。
【００２１】
　この後、内底板９の両端部に、正面板２及び背面板４から折込み片１１を折り曲げて重ね、さらに、この上に側面板３から外底板７を折り曲げて内底板９に貼り付けると、上端部が解放された直方体形状の箱体（空き箱）が完成する。
【００２２】
　こうして空き箱には、開かれている開口から所定数量のスティック状商品ｗを縦一列に収容してから、正面板２及び背面板４から折込み片１１を折り曲げ、この上に、側面板１から折り曲げた内蓋板８の上に側面板３から折り曲げた外蓋板６を重ねて貼り付け、スティック状商品の箱詰め包装作業を終了する。
【００２３】
　そして、これを店頭に陳列する時は、図２、図３に示すように、箱体の狭幅の正面板２部を手前にし箱体を立位に置いて陳列を行い、商品ｗの取り出しは、正面板２の下部に設けた開封部１２をジッパー１４を引っ張って切り開くと、図３に示すように開口ａができる。
【００２４】
　こうして、開口ａには、上げ底面部１０ｂ上に載る最下位のスティック状商品ｗの端部を臨ませるので、開口ａを介して商品ｗは一個づつを摘み出す要領で最後の商品まで確実に取り出すことができる。また、開口ａは、箱内の上げ底板部ｂ面に対応して形成され、箱体が立たされる面から上げ底の高さ分だけ高い位置にあるので、商品ｗは棚の前柵に引っ掛かるようなことがなく、容易に取り出せる。
【実施例２】
【００２５】
　図４〜図６は、本考案に係る包装用箱の別の実施例を示すものであって、図４は包装用箱の展開図、図５は上げ底構成板の組み立て後の正面側から見た要部の斜視図、図６は組み立て後の正面側から見た要部の概略断面図である。
【００２６】
　図４に示されるブランクシートＢでは、内底板９に上げ底構成板１０を連設する折線ｉを、立上げ板部１０ａ側から内底板９の幅員を狭めた位置に設定し、また、立上げ板部１０ａと上げ底板部１０ｂを区分する折線ｊを、上げ底板部１０ｂの両端部を残して、立上げ板部１０ａ側から上げ底板部１０ｂの幅員を狭めた位置に設定するとともに、折線ｊの両端から上げ底板１０ａと上げ底板部１０ｂとの境界端緑に掛けて切込み１６を設けた構成に特徴がある。
【００２７】
　この実施例に示された上げ底構成板１０によって組み立てられる上げ底は、箱体を立位に置く陳列状態において、上げ底板部１０ｂ上に載る商品ｗの荷重を下から支える立上げ板部１０ａが、図５又は図６に示されるように、上げ底板部１０ｂの中央部側に寄せられるので、上げ底構成板１０を折り曲げて組み立てられる上げ底の剛性を高めることができる。従って、比較的重たい商品ｗが載せられても上げ底が歪んだり弛むといったことがなく、堅牢性を発揮する。
【産業上の利用可能性】
【００２８】
　本考案に係る包装用箱によれば、一枚の板紙から作ることができるので、構造が簡単で組み立ても容易なために比較的安価に提供できる。また、スティック状商品は種類も多く、利用範囲が極めて広範なので、販売範囲を拡大して販売増強を図ることができる。また、通常の包装用箱として利用できるのは勿論、そのまま体裁の良い陳列ケースとして利用でき、陳列には、箱体は立位に置かれるので、陳列スペースの有効利用が図られる。また、箱体の一部をジッパーを介して切り開き、商品の取り出しが簡単にできて使い勝手がよく、実用上、極めて有益なものである。
【図面の簡単な説明】
【００２９】
【図１】本考案の実施例１に係る包装用箱の展開図である。
【図２】組み立て後の正面側から見た要部の概略断面図である。
【図３】組み立て後の側面側から見た要部の概略断面図である。
【図４】本考案の実施例２に係る包装用箱の展開図である。
【図５】上げ底構成板の組み立て後の正面側から見た要部の斜視図である。
【図６】組み立て後の正面側から見た要部の概略断面図である。
【符号の説明】
【００３０】
　１　側面板
　２　正面板
　３　側面板
　４　背面板
　５　接着板
　６　外蓋板
　７　外底板
　８　内蓋板
　９　内底板
　１０　上げ底構成板
　１０ａ　立上げ板部
　１０ｂ　上げ底板部
　１０ｃ　接着板
　１１　折込み片
　１２　開封部
　１３　切込み
　１４　ジッパー
　１６　切込み
【図１】
0003099916.tif 000003
【図２】
0003099916.tif 000004
【図３】
0003099916.tif 000005
【図４】
0003099916.tif 000006
【図５】
0003099916.tif 000007
【図６】
0003099916.tif 000008